(57)【要約】【課題】共同溝や側溝などの蓋を、簡単な操作で容易に持ち上げるとともに、安定した状態で移動させることができる蓋移動用具を提供する。【解決手段】蓋移動用具１０は、蓋１２の上方を跨るように略水平状態に配置される支持体２０と、該支持体２０の両端を前記蓋１２の外側で支持するとともに下面にキャスタ３６を備えた一組の脚３０Ａ，３０Ｂによりフレームが構成されている。前記支持体２０にはジャッキ５０Ａ，５０Ｂが取り付けられ、前記一組の脚３０Ａ，３０Ｂの内側下方には、振れ止め板６０Ａ，６０が略水平方向に取り付けられている。蓋１２の縁部１４Ａ，１４Ｂ近傍のネジ穴１６Ａ，１６Ｂに装着した係合具１８のリング部１８Ｂに、ジャッキ５０Ａ，５０Ｂのフック５６を掛けて蓋１２を吊り上げると、蓋表面１２Ａが振れ止め板６０Ａ，６０Ｂに接触し、略水平状態を維持したままでの移動が可能となる。【選択図】図１
0003132894.tif 000002
【実用新案登録請求の範囲】
【請求項１】
蓋を持ち上げて移動するための蓋移動用具であって、
前記蓋の上方で該蓋を跨るように略水平状態に配置される支持体，
該支持体の両端側に設けられており、前記蓋の外側で前記支持体を所定の高さに支持する一組の脚，
前記支持体の両端近傍に設けられており、前記蓋に装着された係合具と係合可能なフックを有するとともに、前記蓋を吊り上げ可能な吊り上げ手段，
前記一組の脚の内側に略水平方向に取り付けられており、前記吊り上げ手段によって吊り上げられた蓋の表面と接触して、該蓋を略水平状態に維持する振れ止め手段，
前記一組の脚に設けられたキャスタ，
を備えたことを特徴とする蓋移動用具。
【請求項２】
前記支持体の長さを調整可能とする第１の長さ調整機構を備えたことを特徴とする請求項１記載の蓋移動用具。
【請求項３】
前記一組の脚の長さを調整可能とする第２の長さ調整機構を備えたことを特徴とする請求項１又は２記載の蓋移動用具。
【請求項４】
前記脚に対する前記振れ止め手段の取り付け高さを調整可能とする高さ調整機構を備えたことを特徴とする請求項１〜３のいずれかに記載の蓋移動用具。
【請求項５】
蓋を持ち上げて移動するための蓋移動用具であって、
前記蓋の上方で該蓋を跨るように略水平状態に配置される支持体，
該支持体の両端側に設けられており、前記蓋の外側で前記支持体を所定の高さに支持する一組の脚，
前記支持体の両端近傍に設けられており、前記蓋に装着された係合具と係合可能なフックを有するとともに、前記蓋を吊り上げ可能な吊り上げ手段，
前記一組の脚の内側に略水平方向に取り付けられており、前記吊り上げ手段によって吊り上げられた蓋の表面と接触して、該蓋を略水平状態に維持する振れ止め手段，
前記一組の脚に設けられたキャスタ，
前記支持体の長さを調整可能とする第１の長さ調整機構，
前記一組の脚の長さを調整可能とする第２の長さ調整機構，
前記脚に対する前記振れ止め手段の取り付け高さを調整可能とする高さ調整機構，
を備えたことを特徴とする蓋移動用具。
【考案の詳細な説明】
【技術分野】
【０００１】
本考案は、共同溝や側溝などの蓋を持ち上げて移動するための蓋移動用具に関するものである。
【背景技術】
【０００２】
一般道路，特に舗道においては、路面上の雨水を集水および排水するために、道路脇や歩車道の境界にＵ型の側溝が配置されており、この側溝は、通常、鉄筋コンクリートで形成された板状の充填製蓋などで覆われている。この他にも路面には、水道管や電話線，電力線，ガス管など、地下道に敷設された生活ラインの出入口となるマンホールが設けられており、該マンホールは、通常、鋳鉄製の蓋で塞がれている。これらの蓋は重量があり、点検などで開ける際には、簡単に持ち上げられないことが多々ある。このため、蓋の持ち上げや移動にかかる労力を軽減するための各種技術が提案されている。例えば、下記特許文献１には、真直パイプの一端に把手を取り付けて、他端に略コ字形状とした丸鋼の両側をフック状に形成した部材を固着して構成されたマンホール蓋開閉治具が開示されている。また、下記特許文献２には、吊り金具と、メインフレームの下部に一対のキャスタと、メインフレームの上部に伸縮調整フレームを介した操作ハンドルと、メインフレームの前部に前記吊り金具を着脱する吊り上げフックとを有する重量物の持ち上げ移動装置が開示されている。
【特許文献１】特開２００２−１３８５０４公報
【特許文献２】特開２００２−２５５３２３公報
【考案の開示】
【考案が解決しようとする課題】
【０００３】
しかしながら、以上のような背景技術には次のような不都合がある。まず、特許文献１に記載の技術では、基本的に二人の作業者が必要であり、一人で持ち上げ作業を行うのは困難である。また、持ち上げた蓋の移動は完全に人力に頼る必要があるため、作業者にかかる負担が大きい。次に、特許文献２に記載の技術では、メインフレームの前方に蓋体を吊り下げるため、対応できる蓋の大きさが限られてしまうという不都合がある。更に、前記特許文献１及び２に記載の技術はともに、蓋の縁部の対向する２ヶ所にフックを掛けて持ち上げ（ないし吊り上げ）を行うため、フックを掛ける位置が適切でないと蓋のバランスが崩れやすい。また、持ち上げた蓋を移動する場合にも、掛けた部分を支点として蓋がぶれるため、安定した状態で蓋を移動させることができない。このほかにも、例えば、トラックの荷台のような比較的高所での蓋の上げ下ろしには適用できないという不都合もある。
【０００４】
本考案は、以上の点に着目したもので、その目的は、共同溝や側溝などの蓋を、作業者が一人であっても簡単な操作で容易に持ち上げ可能であり、かつ、持ち上げた蓋を安定した状態で移動させるとともに、比較的高所でも上げ下ろしが可能な蓋移動用具を提供することである。
【課題を解決するための手段】
【０００５】
前記目的を達成するため、本考案は、蓋を持ち上げて移動するための蓋移動用具であって、前記蓋の上方で該蓋を跨るように略水平状態に配置される支持体，該支持体の両端側に設けられており、前記蓋の外側で前記支持体を所定の高さに支持する一組の脚，前記支持体の両端近傍に設けられており、前記蓋に装着された係合具と係合可能なフックを有するとともに、前記蓋を吊り上げ可能な吊り上げ手段，前記一組の脚の内側に略水平方向に取り付けられており、前記吊り上げ手段によって吊り上げられた蓋の表面と接触して、該蓋を略水平状態に維持する振れ止め手段，前記一組の脚に設けられたキャスタ，を備えたことを特徴とする。
【０００６】
主要な形態の一つは、前記支持体の長さを調整可能とする第１の長さ調整機構を備えたことを特徴とする。他の形態は、前記一組の脚の長さを調整可能とする第２の長さ調整機構を備えたことを特徴とする。更に他の形態は、前記脚に対する前記振れ止め手段の取り付け高さを調整可能とする高さ調整機構を備えたことを特徴とする。
【０００７】
他の考案は、蓋を持ち上げて移動するための蓋移動用具であって、前記蓋の上方で該蓋を跨るように略水平状態に配置される支持体，該支持体の両端側に設けられており、前記蓋の外側で前記支持体を所定の高さに支持する一組の脚，前記支持体の両端近傍に設けられており、前記蓋に装着された係合具と係合可能なフックを有するとともに、前記蓋を吊り上げ可能な吊り上げ手段，前記一組の脚の内側に略水平方向に取り付けられており、前記吊り上げ手段によって吊り上げられた蓋の表面と接触して、該蓋を略水平状態に維持する振れ止め手段，前記一組の脚に設けられたキャスタ，前記支持体の長さを調整可能とする第１の長さ調整機構，前記一組の脚の長さを調整可能とする第２の長さ調整機構，前記脚に対する前記振れ止め手段の取り付け高さを調整可能とする高さ調整機構，を備えたことを特徴とする。本考案の前記及び他の目的，特徴，利点は、以下の詳細な説明及び添付図面から明瞭になろう。
【考案の効果】
【０００８】
本考案は、キャスタが設けられた一組の脚によって蓋の上方を跨るように略水平状態に配置された支持体の両端近傍に、前記蓋を吊り上げ可能な吊り上げ手段を設けるとともに、前記一組の脚の内側に、吊り上げた蓋の表面と接触して該蓋を略水平状態に維持する振れ止め手段を設けることとした。このため、作業者が一人であっても、簡単な操作で蓋の持ち上げが可能になるとともに、前記蓋を略水平状態に維持しておくことにより、安定した状態での蓋の移動が可能になるという効果が得られる。また、前記一組の脚の長さを調整可能とすることにより、高所での蓋の上げ下ろしが可能になるという効果も得られる。
【考案を実施するための最良の形態】
【０００９】
以下、本考案を実施するための最良の形態を、実施例に基づいて詳細に説明する。
【実施例１】
【００１０】
最初に、図１及び図２を参照しながら、本考案の実施例１を説明する。図１(A)は本実施例の蓋移動用具の全体構成を示す外観斜視図，図１(B)は蓋との係合部を示す斜視図，図１(C)は前記(A)を矢印Ｆ１方向から見た側面図，図１(D)は比較例の側面図である。図２(A)は、本実施例の振れ止め板の高さ調整の様子を示す正面図，図２(B)及び(C)は支持体の分解斜視図である。図１(A)に示すように、本実施例の蓋移動用具１０は、側溝や共同溝などの受枠７０から、蓋１２を持ち上げて移動するために用いられるものである。前記蓋１２は、本実施例では、図１(B)に示すように、縁部１４Ａ〜１４Ｄを有する略長方形状となっており、例えば、コンクリートや鋳鉄などにより形成されている。また、対向する縁部１４Ａ，１４Ｂの近傍には、ネジ穴１６Ａ，１６Ｂが形成されており、該ネジ穴１６Ａ，１６Ｂには、ネジ部１８Ａとリング部１８Ｂからなる係合具１８が取り付け可能となっている。
【００１１】
前記蓋移動用具１０は、前記蓋１２の上方を跨るように略水平状態に配置された支持体２０と、該支持体２０の両端を前記蓋１２の外側で支持するとともに下面にキャスタ３６を備えた一組の脚３０Ａ，３０Ｂによりフレームが構成されている。また、前記支持体２０には、蓋１２を吊り上げるためのジャッキ５０Ａ，５０Ｂが取り付けられ、前記一組の脚３０Ａ，３０Ｂの内側下方には、吊り上げた蓋１２を略水平状態に保つための振れ止め板６０Ａ，６０Ｂが取り付けられている。
【００１２】
前記支持体２０は、図２(B)に示すように、一対の角管２０Ａ，２０Ｂと、それらを継ぎ足すための角管２４により構成されている。前記角管２０Ａ，２０Ｂの突き合わせ側の端部近傍には、ネジ穴２２Ａ，２２Ｂが形成されている。また、前記角管２４の内形寸法は、前記角管２０Ａ及び２０Ｂの外形寸法よりも若干大きく設定されており、内側に前記角管２０Ａ，２０Ｂが挿通可能となっている。前記角管２４の略中央付近には、内側の角管２０Ａ，２０Ｂのネジ穴２２Ａ，２２Ｂと対応する位置にネジ穴２４Ａ，２４Ｂが形成されており、これらのネジ穴の位置を合わせてネジ２６を螺合させることにより、前記支持体２０を形成することができる。このように、支持体２０が分割可能な構成となっているため、角管２０Ａ，２０Ｂのいずれか一方又は両方を異なる長さの角管に交換することにより、支持体２０の長さを蓋１２の寸法に合わせて調整することが可能となっている。あるいは、図２(C)に示すように、角管２０Ａと２０Ｂの間に、前記角管２４よりも長く、両端近傍にネジ穴２５Ａ，２５Ｂを備えた角管２５を配置することにより、前記支持体２０の長さ調整を行うようにしてもよい。また、図１(A)に示すように、前記角管２０Ａ，２０Ｂの他方の端部側には、後述する抜け止め用のピン４２Ａ，４２Ｂを挿すための孔２３Ａ，２３Ｂが形成されている。
【００１３】
次に、前記脚３０Ａは、角管などによって逆Ｔ字状に形成されており、水平部３２の両端下面には、蓋移動用具１０全体を移動させるためのキャスタ３６が設けられている。また、垂直部３４の上端側には、前記支持体２０を貫通させるための受部３８が形成されており、前記垂直部３４の下端側には、振れ止め板６０Ａを固定するための孔４０Ａ，４０Ｂ（図２(A)参照）が形成されている。他方の脚３０Ｂも、前記脚３０Ａと基本的に同様の構成となっている。
【００１４】
前記支持体２０の両端近傍には、前記蓋１２を吊り上げるためのジャッキ５０Ａ，５０Ｂが、前記支持体２０が貫通可能な中空部を備えたホルダ５２Ａ，５２Ｂによって取り付けられている。前記ジャッキ５０Ａ，５０Ｂは、チェーン５４の先端に、前記係合具１８のリング部１８Ｂと係合可能なフック５６を備えるとともに、前記チェーン５４を引き上げるためのレバー５８を備えている。このようなジャッキ５０Ａ，５０Ｂの構成は公知である。なお、前記ホルダ５２Ａ，５２Ｂは、前記支持体３０の角管２０Ａ，２０Ｂに沿ってスライド可能となっており、前記蓋１２のネジ穴１６Ａ，１６Ｂの位置に応じて、位置の調整が可能となっている。
【００１５】
更に、前記脚３０Ａ，３０Ｂの垂直部３４の内側には、前記ジャッキ５０Ａ，５０Ｂで吊り上げた蓋１２を略水平状態に維持するための振れ止め板６０Ａ，６０Ｂが、ホルダ６２Ａ，６２Ｂによって取り付けられている。該振れ止め板６０Ａ，６０Ｂは、断面略Ｌ字状であって、前記蓋１２の表面１２Ａとの接触により、前記蓋１２を略水平状態に保つことができる程度の長さを有している。本実施例では、前記振れ止め板６０Ａ，６０Ｂとして、例えばＬ字鋼を用いている。前記ホルダ６２Ａ，６２Ｂは、前記垂直部３４が貫通可能な中空部を備えており、前記垂直部３４に沿ってスライド可能であるとともに、該垂直部３４に対して固定するためのピン６６が貫通可能な孔６４を備えている。そして、図２(A)に示すように、前記孔６４を、前記垂直部３４の孔４０Ａ又は４０Ｂのいずれかと位置を合わせて前記ピン６０を差込むことで、前記垂直部３４に対して固定することができる。なお、孔４０Ａ，４０Ｂのいずれに合わせるかは、蓋１２の厚みによって決定すればよい。例えば、一般的な厚さの蓋１２の場合は、下側の孔４０Ｂにホルダ６２Ａの孔６４を合わせ、比較的厚みのある蓋８０を持ち上げる場合には、上側の孔４０Ａとホルダ６２Ａの孔６４を合わせるという具合である。
【００１６】
以上のような蓋移動用具１０を組み立てる場合には、予め、脚３０Ａ，３０Ｂの垂直部３４に、ホルダ６２Ａ，６２Ｂを介して振れ止め板６０Ａ，６０Ｂを取り付けてから、前記垂直部３４の受部３８に、蓋１２の寸法に応じた長さの角管２０Ａ，２０Ｂを貫通させて取り付ける。そして、前記角管２０Ａ，２０Ｂの両端近傍の孔２３Ａ，２３Ｂに、ピン４２Ａ，４２Ｂを挿し込むことにより、前記受部３８から角管２０Ａ，２０Ｂが抜けるのを防止する。次に、前記角管２０Ａ，２０Ｂに、ホルダ５２Ａ，５２Ｂを介してジャッキ５０Ａ，５０Ｂを取り付け、最後に、前記角管２０Ａ及び２０Ｂの端部を、角管２４の内側に挿通してネジ２６で固定する。
【００１７】
次に、本実施例の作用を説明する。まず、対象となる蓋１２の位置に蓋移動用具１０を移動し、一組の脚３０Ａ，３０Ｂの間に蓋１２を挟むようにする。前記脚３０Ａ，３０Ｂの間隔は、前記垂直部３４を、角管２０Ａ，２０Ｂに沿ってスライドさせることで、微調整が可能となっている。次に、図１(B)に示すように、蓋１２のネジ穴１６Ａ，１６Ｂに、係合具１８を装着するとともに、前記ジャッキ５０Ａ，５０Ｂのチェーン５４が前記係合具１８のほぼ真上となるように、前記ジャッキ５０Ａ，５０Ｂの位置を調整する。そして、前記チェーン５４の先端に設けられたフック５６を、前記係合具１８のリング部１８Ｂに掛けてからレバー５８を操作し、図１(C)に示すように、蓋１２の表面１２Ａが振れ止め板６０Ａ，６０Ｂの水平面６１に接触するまで蓋１２を吊り上げる。
【００１８】
仮に、振れ止め板６０Ａ，６０Ｂが設けられていないとすると、吊り上げられた蓋１２は、図１(D)に示すように、係合具１８を支点として揺動し、安定した略水平状態を保つことができない。これに対し、本実施例では、蓋１２の縁部１４Ａ，１４Ｂ側が、振れ止め板６０Ａ，６０Ｂに接触することによって略水平状態を保つことができるため、作業者は、その状態のまま蓋移動用具１０を動かして、蓋１２を安全に移動することができる。なお、所望の位置に移動された蓋１２は、ジャッキ５０Ａ，５０Ｂのレバー５８の操作により下ろすことができる。
【００１９】
このように、実施例１によれば、次のような効果がある。
(1)キャスタ３６が設けられた一組の脚３０Ａ，３０Ｂによって蓋１２の上方を跨るように略水平状態に支持された支持体２０の両端近傍に、前記蓋１２を吊り上げるためのジャッキ５０Ａ，５０Ｂを設けるとともに、前記一組の脚３０Ａ，３０Ｂの内側に、蓋表面１２Ａと接触可能な振れ止め板６０Ａ，６０Ｂを略水平方向に取り付けることとした。このため、作業者が一人であっても、簡単な操作で蓋１２の持ち上げが可能になるとともに、該蓋１２を略水平状態に維持し、安定した状態で移動させることができる。
(2)前記支持体２０の長さ調整を可能としたので、任意の寸法の蓋１２の持ち上げ及び移動を行うことができる。
(3)前記脚３０Ａ，３０Ｂの垂直部３４に対する振れ止め板６０Ａ，６０Ｂの高さ調整を可能としたので、任意の厚みの蓋１２（ないし８０）の振れ止めが可能となる。
【００２０】
なお、本実施例は、図３に示すように脚３０Ａ，３０Ｂの長さを調整可能な構造とすることもできる。図３(A)は、本実施例の変形例の脚の構造を示す外観斜視図，図３(B)は変形例の使用例を示す図である。本変形例では、図３(A)に示すように、脚３０Ａの垂直部３４を、角管３４Ａとその内側に収納可能な角管３４Ｂによって伸縮可能に構成することによって、支持体２０の高さの調整が可能となっている。前記角管３４Ａと３４Ｂは、これらの側面に複数設けた孔３５Ａ，３５Ｂを、任意の位置で合わせてピン６８などを挿し込むことにより高さが固定される。なお、図３(A)では、前記振れ止め板６０Ａは、内側の角管３４Ｂに取り付けられているが、外側の角管３４Ａにも取付可能としてもよい。以上のような構成とすると、図３(B)に示すように、トラック９０の荷台９２のような比較的高所から蓋１２を降ろしたり、あるいは、受枠７０から外した蓋１２を、前記荷台９２に持ち上げたりすることが可能になる。なお、蓋１２を持ち上げたあとは、蓋移動用具１０自体を移動させるようにしてもよいし、トラック９０を動かすようにしてもよい。このように、脚３０Ａ，３０Ｂの長さを伸縮可能とすることにより、上述した図１及び図２に示す例に加えて、比較的高所での蓋１２の上げ下ろし作業が容易になるという効果が得られる。
【００２１】
なお、本考案は、上述した実施例に限定されるものではなく、本考案の要旨を逸脱しない範囲内において種々変更を加え得ることができる。例えば、以下のものが含まれる。
(1)前記実施例で示した各部の形状や大きさは一例であり、必要に応じて適宜変更可能である。例えば、前記実施例１では、断面略Ｌ字状の振れ止め板６０Ａ，６０Ｂを利用することとしたが、これも一例であり、例えば、脚３０Ａ，３０Ｂの垂直部３４の内側に、所定長さの棒状体や板体を略水平状態に取り付けるようにするなど、同様の効果を奏するように適宜変更してよい。
(2)前記蓋１２に装着する係合具１８も一例であり、蓋１２とジャッキ５０Ａ，５０Ｂのフック５６を係合させることができるものであれば、公知の各種の係合具を利用してよい。
(3)支持体２０の長さ調整機構，脚３０Ａ及び３０Ｂの長さ調整機構，振れ止め板６０Ａ，６０Ｂの高さ調整機構も一例であり、同様の効果を奏するように、適宜設計変更してよい。
(4)前記実施例１では、吊り上げ手段としてジャッキ５０Ａ，５０Ｂを用いたが、これも一例であり、同様の効果を奏するものであれば、公知の各種の吊り上げ機構を適用してよい。
(5)蓋移動用具１０の組立手順も一例であり、必要に応じて適宜変更してよい。
(6)トラック９０からの蓋１２の上げ下ろしも一例であり、前記脚の長さ調整可能な範囲内であれば、他の比較的高所での上げ下ろし作業全般に本考案の蓋移動用具は適用可能である。
(7)前記実施例１で示した蓋１２は一例であり、本考案の蓋移動用具は、側溝や共同溝などに設けられる各種形状，材質，寸法の蓋全般に対して適用可能である。
【産業上の利用可能性】
【００２２】
本考案によれば、キャスタが設けられた一組の脚によって蓋の上方を跨るように略水平状態に支持された支持体の両端近傍に、前記蓋を吊り上げ可能な吊り上げ手段を設けるとともに、前記一組の脚の内側に、吊り上げた蓋の表面と接触して該蓋を略水平状態に維持する振れ止め手段を設けることとした。このため、側溝や共同溝などの蓋を移動させるための蓋移動用具の用途に適用できる。特に、前記一組の脚の長さ調整を可能とすることにより、比較的高所からの蓋の上げ下ろし作業を行う場合に好適である。
【図面の簡単な説明】
【００２３】
【図１】本考案の実施例１を示す図であり、(A)は全体を示す外観斜視図，(B)は蓋との係合部を示す斜視図，(C)は振れ止め状態を示す側面図，(D)は比較例の側面図である。
【図２】前記実施例１を示す図であり、(A)は振れ止め板の高さ調整の様子を示す正面図，(B)及び(C)は支持体の分解斜視図である。
【図３】前記実施例１の変形例を示す図であり、(A)は主要部の外観斜視図，(B)は使用状態の一例を示す図である。
【符号の説明】
【００２４】
１０：蓋移動用具
１２：蓋
１２Ａ：表面
１４Ａ〜１４Ｄ：縁部
１６Ａ，１６Ｂ：ネジ穴
１８：係合具
１８Ａ：ネジ部
１８Ｂ：リング部
２０：支持体
２０Ａ，２０Ｂ，２４，２５：角管
２２Ａ，２２Ｂ，２４Ａ，２４Ｂ，２５Ａ，２５Ｂ：ネジ穴
２３Ａ，２３Ｂ：孔
２６：ネジ
３０Ａ，３０Ｂ：脚
３２：水平部
３４：垂直部
３４Ａ，３４Ｂ：角管
３５Ａ，３５Ｂ：孔
３６：キャスタ
３８：受部
４０Ａ，４０Ｂ：孔
４２Ａ，４２Ｂ：ピン
５０Ａ，５０Ｂ：ジャッキ
５２Ａ，５２Ｂ：ホルダ
５４：チェーン
５６：フック
５８：レバー
６０Ａ，６０Ｂ：振れ止め板
６１：水平面
６２Ａ，６２Ｂ：ホルダ
６４：孔
６６，６８：ピン
７０：受枠
８０：蓋
８０Ａ：表面
９０：トラック
９０：荷台
【図１】
0003132894.tif 000003
【図２】
0003132894.tif 000004
【図３】
0003132894.tif 000005